(57)【特許請求の範囲】
【請求項１】
内部の湯が放熱する浴槽に該浴槽内の湯よりも高温な補給湯を前記浴槽の上方に設けられた給湯口から供給する湯温制御装置であって、
前記浴槽の温度を検出する温度センサーと、
前記浴槽の湯の第１下限温度Ｌ２と第１上限温度Ｈ２とが設定された制御部と、
流路の流量を設定する第１流量調整部と、前記制御部からの信号により流路を開放／閉鎖する第１開閉部と、を備える第１バルブ部と、
流路の流量を設定する第２流量調整部と、前記制御部からの信号により流路を開放／閉鎖する第２開閉部と、を備える第２バルブ部と、
流路の流量を設定する第３流量調整部と、前記制御部からの信号により流路を開放／閉鎖する第３開閉部と、を備える第３バルブ部と、
を備え、
前記第１バルブ部を通過した流湯と前記第２バルブ部と前記第３バルブ部を通過した流湯は、前記給湯口から供給され、
前記制御部は、
前記第１開閉部の流路の開放を少なくとも前記第１上限温度Ｈ２を超えるまでは維持させ、
前記第２開閉部の流路の開放／閉鎖の切り替えを前記第１下限温度Ｌ２と前記第１上限温度Ｈ２間で行わせ、
前記第３開閉部の流路の開放を前記第１上限温度Ｈ２よりも低い温度まで維持させることを特徴とする湯温制御装置。
【請求項２】
前記制御部は、前記第１開閉部の流路を前記第１上限温度Ｈ２よりも高い第２上限温度Ｈ１で閉鎖させることを特徴とする請求項１に記載の湯温制御装置。
【請求項３】
前記浴槽内の底部の湯を前記給湯口に導くポンプ部を設けることを特徴とする請求項１又は２に記載の湯温制御装置。
【請求項４】
第１バルブ部と、第２バルブ部と、第３バルブ部とを用い、内部の湯が放熱する浴槽に該浴槽内の湯よりも高温な補給湯を前記浴槽の上方に設けられた給湯口から供給することにより、下限と上限との間の温度範囲で前記浴槽の湯温を制御する湯温制御方法であって、
前記第２バルブ部が閉鎖され前記第１バルブ部が開放された補給状態では、前記浴槽の湯温が温度降下となるように前記第１バルブ部の流出量が調整され、
前記第１バルブ部と前記第２バルブ部が開放された補給状態では、前記浴槽の湯温が温度上昇となるように前記第２バルブ部の流出量が調整され、
前記第１バルブと前記第２バルブ部と第３バルブ部が開放された補給状態でも、前記浴槽の湯温が温度上昇となるように前記第３バルブ部の流出量が調整され、
前記第１バルブ部は、少なくとも前記浴槽の湯温が前記温度範囲の上限を超えるまでは流出するようにＯＮ／ＯＦＦ制御され、
前記第２バルブ部は、前記浴槽内の湯温が前記温度範囲のときのみに前記温度範囲になるようにＯＮ／ＯＦＦ制御され、
前記第３バルブ部は、前記浴槽内の湯温が前記温度範囲の下限を下回ったときに流出するようにＯＮ／ＯＦＦ制御されることを特徴とする湯温制御方法。
【発明の詳細な説明】
【技術分野】
【０００１】
本発明は、湯温制御装置及び湯温制御方法に関し、詳しくは、補給湯を浴槽の上方に設けられた給湯口から供給する湯温制御装置及び湯温制御方法に関する。
【背景技術】
【０００２】
補給湯を浴槽の上方から常時流し込む方法は、かけ流しの温泉に浸かっているという満足感を与える。このために、多くの温泉ではこの方法が採られている。浴槽の湯は外気温より高く、また温泉の浴槽は蓋が無く開放により放熱するために、そのままでは自然に湯が冷めてしまうことになる。このため浴槽内の湯温の管理を行わなければならない。
【０００３】
湯温の低下を防ぐ理想的な方法は、冷めていく分だけ湯を適量補給していくことではあるが、かけ流しの温泉によって行うことは外気温の影響もあるため非常に難しい。また、源泉を用いる場合には、補給する源泉の圧力変化の影響も受けるため、かけ流しの温泉による湯温管理は非常に難しく、各温泉旅館では例えば２時間おきに湯温を計測し、バルブ調整によって流量を調整しており、非常に労力のかかる作業になっている。
【０００４】
そこで、特許文献１（特開２００８−１０００１８号公報）の図１に示されるように、浴槽の湯温を温度センサーで検出して、温水と冷水の流入バルブを自動的に開閉制御する方法が考えられる。
【先行技術文献】
【特許文献】
【０００５】
【特許文献１】特開２００８−１０００１８号公報
【発明の概要】
【発明が解決しようとする課題】
【０００６】
しかしながら、特許文献１は浴槽への補給湯に水を混入している。このために源泉の温泉としての有効成分が希釈し、また大量の水が必要になるという問題があった。なお、希釈することなく源泉の温度を下げる方法としては熱交換器と水を使用する方法が考えられるが、この方法は大量の使用水、装置の巨大化、高額化という短所があるので好ましくない。
【０００７】
また、外乱により浴槽の湯温が所望する温度から大きく外れることがある。外乱の例としては、シャワー使用などの供給湯量の変化に伴う供給湯の圧力や冷水の圧力の変化、室温・気温の変化、風力の変化、入浴人数の変化がある。外乱により浴槽の湯温が所望する温度から大きく外れると、浴槽の湯温が設定温度になるまでに時間が掛かるという問題があった。
【０００８】
また、最近では入浴者によって目標温度を設定可能な客室専用の浴槽を設置している客室もあるが、設定温度が変更された瞬間は、浴槽の湯温が設定温度と大きくずれることになり、設定温度の変更にもできるだけ短時間で対応できる安価な湯温制御装置の要望があった。さらに、人が感じる適温は季節によって変化するので、同一人物であっても、季節によって温度変更がなされる。
【０００９】
そこで、本発明は、水を混入することなく、湯温の管理をすることのできる湯温制御装置および制御方法を提供することを目的とする。また、外乱があったり、入浴者が温度設定を変更したりしも浴槽の湯が短時間で所望する温度になる湯温制御装置および制御方法を提供することを目的とする。
【課題を解決するための手段】
【００１０】
上記目的を達成するため、本発明の湯温制御装置は、内部の湯が放熱する浴槽に該浴槽内の湯よりも高温な補給湯を前記浴槽の上方に設けられた給湯口から供給する湯温制御装置であって、前記浴槽の温度を検出する温度センサーと、前記浴槽の湯の第１下限温度Ｌ２と第１上限温度Ｈ２とが設定された制御部と、流路の流量を設定する第１流量調整部と、前記制御部からの信号により流路を開放／閉鎖する第１開閉部と、を備える第１バルブ部と、流路の流量を設定する第２流量調整部と、前記制御部からの信号により流路を開放／閉鎖する第２開閉部と、を備える第２バルブ部と、を備え、前記第１バルブ部を通過した流湯と前記第２バルブ部を通過した流湯は、前記給湯口から供給され、前記制御部は、前記第１開閉部の流路の開放を少なくとも前記第１上限温度Ｈ２を超えるまでは維持させ、前記第２開閉部の流路の開放／閉鎖の切り替えを前記第１下限温度Ｌ２と前記第１上限温度Ｈ２間で行わせることを特徴とする。
【００１１】
本発明の湯温制御装置は、第１バルブ部が流路の流量を設定する第１流量調整部を備えているので、第１バルブ部が開放され第２バルブ部が閉鎖された補給状態では、放熱による浴槽の湯温の降下が僅かになるように、補給湯の量を設定しておくことができる。また、第２バルブ部が流路の流量を設定する第２流量調整部を備えているので、第１バルブ部と第２バルブ部が開放された補給状態では、浴槽の湯温が上昇するように、補給湯の量を設定しておくことができる。
【００１２】
そして、湯温制御装置は、このように流量を設定しておくことで、湯温が第１上限温度Ｈ２に達していると、第１バルブ部からの補給湯だけになるため、湯温が第１上限温度Ｈ２から徐々に降下していくが、温度降下が進むと第２バルブ部からの補給湯が加わるので、第１下限温度Ｌ２よりも湯温は下がらず、第１下限温度Ｌ２と第１上限温度Ｈ２との間で湯温を維持することができる。また、流量が設定された第１バルブ部からの補給湯だけでは、浴槽の湯温が上昇しないので継続して補給できるため、かけ流しの温泉に浸かっているという満足感が強くなる。また、浴槽の湯の放熱量は浴槽が設置される場所や季節などの環境によって変化するので、湯温制御装置の管理者は浴槽の環境に応じて第１バルブ部と第２バルブ部の流量をその都度設定しておくことができる。また、制御部のバルブ制御は開放／閉鎖の切り替えのみで、自動流量制御やＰＩＤ制御を必要としないので、湯温制御装置を安価で提供することができる。
【００１３】
また、本発明の湯温制御装置においては、流路の流量を設定する第３流量調整部と、前記制御部からの信号により流路を開放／閉鎖する第３開閉部と、を備える第３バルブ部を更に備え、前記第３バルブ部を通過した流湯も、前記給湯口から供給され、前記制御部は、前記第３開閉部の流路の開放を前記第１上限温度Ｈ２よりも低い温度まで維持させることが好ましい。
【００１４】
このように、第３バルブ部が流路の流量を設定する第３流量調整部を備えているので、第１〜第３バルブ部が開放された補給状態で、早い温度上昇となるように源泉補給量を設定することができる。これにより、外乱で浴槽の湯の温度が第１下限温度Ｌ２よりも下がったときに第３バルブ部によって浴槽の湯の温度上昇を加速させることができる。

【００１５】
また、本発明の湯温制御装置においては、前記制御部は、前記第１開閉部の流路を前記第１上限温度Ｈ２よりも高い第２上限温度Ｈ１で閉鎖させることが好ましい。
設定温度は入浴者でも変更可能であり、入浴者によって非常に低く設定されたときは、第１バルブ部からの補給湯も自動的に止めて早く浴槽の湯温を下げることができる。
【００１６】
また、本発明の湯温制御装置においては、前記浴槽内の底部の湯を前記給湯口に導くポンプ部を設けることが好ましい。
【００１７】
入浴者が非常に低く設定変更し、補給湯が給湯口から出なくなると、満足感が低下してしまう。それだけでなく、浴槽内の流れが無くなって表面側が空冷され低温になり、底面側との温度差が生じる。このために、浴槽内の温度が不均一になるだけでなく、浴槽の冷却に時間が掛かることとなる。浴槽内の温度が不均一になると、正しい温度検出ができずに不正確な温度制御となる。そこで、本発明は給湯口から離間している浴槽内の底部の湯を給湯口から流出させて、外気にさらして放熱させ、また、その流れによって浴槽の湯を撹拌させる。これにより、浴槽内の湯を早く冷却させ且つ温度を均一にし、入浴者に温泉感を与えることができる。
【図面の簡単な説明】
【００１８】
【図１】実施形態の構成を示すブロック図である。
【図２】実施形態の動作を示す温度チャートである。
【発明を実施するための形態】
【００１９】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２０】
本発明の実施形態の湯温制御装置の構成を、図１を用いて説明する。本実施形態の湯温制御装置１は客室内のプライベートな浴室２に設置された浴槽３に補給湯を供給する装置である。補給湯の給湯口４は浴槽３の上方に配設されている。本実施形態の湯温制御装置１は少なくとも第１バルブ部１１、第２バルブ部１２、第３バルブ部１３、濾過器（ストレーナー）Ｓ、ポンプＰ、制御部１４、入力部１５と温度センサー１６を備えている。
【００２１】
源泉は並列に配設されたそれぞれの第１バルブ部１１、第２バルブ部１２、第３バルブ部１３を通って合流し、給湯口４に流出される。また、浴槽３の給湯口４下方の底部に設けられた流出口３１から浴槽３の湯が濾過器Ｓ、ポンプＰを経て、第１〜第３バルブ部１１〜１３の流出源泉とその上流から合流して給湯口４に流出される。ポンプＰからの湯は第１〜第３バルブ部１１〜１３の流出源泉よりも上流から流れる。これにより第１〜第３バルブ部１１〜１３の始動時のエアー抜きができる。また、ポンプＰの圧力が源泉の給湯口４方向への流圧を妨げない。
【００２２】
第１〜第３バルブ部１１〜１３はそれぞれの流路の流量を手動で調節する第１〜第３ニードルバルブ（第１〜第３流量調整部）Ｎ１〜Ｎ３と、流路を開放（ＯＮ）／閉鎖（ＯＦＦ）する第１〜第３電動バルブ（第１〜第３開閉部）Ｖ１〜Ｖ３を備えている。ニードルバルブと電動バルブからなるバルブ部はこれらが一体になったニードル付き電動バルブでもよいが、ここでは動作を区別して説明するために別々に記す。入力部１５は浴槽３の湯の希望温度を手入力する手段であり、入力された情報は制御部１４に送信される。温度センサー１６は浴槽３内の給湯口４下方に配設されて湯の温度を検出し、検出された情報は制御部１４に送信される。給湯口４からの加温は少しずつなので加温は先の方まで届くが給湯口４の下方は意外と温度が安定した場所であり、入浴者の邪魔にならない。制御部１４は入力部１５によって入力された希望温度から温度制御の上限や下限などの閾値を設定して、第１〜第３バルブ部１１〜１３の開閉（ＯＮ／ＯＦＦ）を制御する。また、ポンプＰのＯＮ／ＯＦＦも制御する。制御部１４のバルブ制御は開放／閉鎖の切り替えのみであり、自動流量制御やＰＩＤ制御を必要としないので、湯温制御装置１を安価で提供することができる。
【００２３】
次に、図２を用いて本実施形態の湯温制御装置１の動作を説明する。浴槽３は蓋がないので湯温が放熱によって下がる。例えば、湯の適温近傍で、浴槽３の湯温は補給湯が無いと１０分間で０．３５℃下がる環境であるとする。第１ニードルバルブＮ１の流量は、ポンプＰをＯＮ、第２電動バルブＶ２をＯＦＦ、第３電動バルブＶ３をＯＦＦした状態で、浴槽３の湯温が１０分間で０．１℃降下するように予め手動で設定される。すなわち、第１バルブ部１１からのみの源泉の補給によって浴槽３の湯温は冷える速度が遅くなるが、温度上昇はしない。
【００２４】
第２ニードルバルブＮ２の流量は、ポンプＰをＯＮ、第１電動バルブＶ２をＯＮ、第３電動バルブＶ３をＯＦＦした状態で、浴槽３の湯温が１０分間で０．１℃上昇するように予め手動で設定される。すなわち、第１バルブ部１１からの源泉に第２バルブ部１２からの源泉を追加すると浴槽３の湯温が上昇する。
【００２５】
第３ニードルバルブＮ３の流量は、ポンプＰをＯＮ、第１電動バルブＶ２をＯＮ、第２電動バルブＶ３をＯＮした状態で、給湯口４から浴槽３に補給される湯の湯温が火傷しない程度の湯温（１時間も浸からない浴槽の湯であれば、４５度以上）になるように予め手動で設定される。
【００２６】
これらの手動による流量の設定は浴槽３の湯の放熱環境の相違に応じて初期設定され、また放熱環境の変化に応じて設定変更される。このように、湯温の制御に源泉の温度を下げるための水は使用していないので、浴槽３の湯は温泉の有効成分が希釈することがない。なお、本実施形態では源泉の温度を下げるのにポンプＰを用いて浴槽３の湯を加えているが、温泉に引き込まれる源泉の温度がそれほど高くなければ浴槽３の湯を加えなくてもよい。また、第３ニードルバルブＮ３の流量を、給湯口４から浴槽３に補給される湯により火傷しない程度の湯温になるように設定しているが、第３ニードルバルブＮ３の流量を増やし、補給口４から浴槽３に供給される補給湯をより源泉に近い高温の湯温としても構わない。しかしながら、補給口４からの補給湯に直接手をつける人もいるため、第３ニードルバルブＮ３の流量は、給湯口４から浴槽３に補給される湯により火傷しない程度の湯温になるような設定が好ましい。
【００２７】
入浴者が入力部１５に希望温度を入力することにより、この入力に基づいて制御部１４は浴槽３の湯温の制御目標温度範囲として第１上限温度Ｈ２（例えば、４２．０℃）と第１下限温度Ｌ２（例えば、４１．８℃）を設定する。このとき、浴槽３の湯温は図２のＬ３（例えば、４１．６℃）よりも低い状態からの湯温制御装置１の動作とする。
【００２８】
制御部１４は第１〜第３バルブ部１１〜１３のそれぞれの第１〜第３電動バルブＶ１〜Ｖ３とポンプＰをＯＮさせる。これにより、第１〜第３バルブ部１１〜１３を通った源泉はポンプＰで引き込まれた浴槽３の湯で火傷しない程度に温度が下げられて浴槽３の上方の給湯口４から浴槽３に給湯される。このように、第１〜第３バルブ部１１〜１３の全てを開放させて浴槽３の湯温を目標温度範囲まで急速に温度上昇させる。
【００２９】
浴槽３に配設されている温度センサー１６からの情報が第１下限温度Ｌ２より僅かに低い第２下限温度Ｈ３（例えば、４１．７℃）になると、制御部１４は第３バルブ部１３の第３電動バルブＶ３をＯＦＦにする。このときは第１バルブ部１１と第２バルブ１２を通った源泉とポンプＰを通った浴槽３の湯が浴槽３に給湯される。これにより、浴槽３の湯温は１０分で０．１℃上昇する。このようにして、第３バルブ部１３は浴槽３の湯温が第１下限温度Ｌ２より低い時に加速的に湯温を上昇させるために使用される。第３バルブ部１３が第１下限温度Ｌ２より僅かに低い第２下限温度Ｈ３で閉鎖される理由は、温度センサー１６の応答遅れや高温湯が大量に補給されることによる浴槽３の湯に温度ムラなどによって湯温の温度上昇が第１下限温度Ｌ２を超えるの（オーバーラン）を防止するためである。
【００３０】
温度センサー１６からの情報が第１上限温度Ｈ２になると、制御部１４は第２バルブ部１２の第２電動バルブＶ２をＯＦＦにする。このときは第１バルブ部１１のみを通った源泉とポンプＰを通った浴槽３の湯が浴槽３に給湯される。これにより、浴槽３の湯温は１０分で０．１℃降下する。この第１バルブ部１１からの補給湯は継続的に流出されることになるので、給湯口４からの補給量も多くなって、源泉かけ流しの温泉に浸かっているという満足感も強い。また、第１バルブ部１１から補給が継続しているので、この時の浴槽の湯の温度降下は僅かとなる。
【００３１】
そして、温度センサー１６からの情報が第１下限温度Ｌ２になると、制御部１４は第２バルブ部１２の第２電動バルブＶ２を再びＯＮにする。このときは第１バルブ部１１と第２バルブ１２を通った源泉とポンプＰを通った浴槽３の湯が浴槽３に給湯される。これにより、浴槽３の湯温は再び１０分で０．１℃上昇する。このようにして、浴槽３の湯温は第１下限温度Ｌ２から第１上限温度Ｈ２までの間の温度範囲で自動的に保持される。
【００３２】
一方、温泉においては、浴槽３の湯温に関して急激な変化が生じることがあるため、湯温制御装置１はこの急激な変化に対応する必要もある。具体的には、例えば、他の入浴者が非常に高い温度に設定変更したときや、例えば多人数の入浴者などの外乱によって浴槽３の湯温が第３下限温度Ｌ３（例えば、４１．６℃）より下がったときは、制御部１４は第３バルブ部１３の第３電動バルブＶ３をＯＮさせる。これにより、湯温制御装置１は、第１〜第３バルブ部１１〜１３の全てを開放させて浴槽３の湯温を目標温度範囲まで急速に温度上昇させる。なお、この時第３バルブ部１３を用いなければ、１０分で０．１℃の上昇なので、例えば、入浴者が２℃高くすれば、２００分かかってしまうことになる。またこの時、第１〜第３バルブ部１１〜１３を通った源泉は、ポンプＰで引き込まれた浴槽３の湯で火傷しない程度の温度となって浴槽３の上方の給湯口４から浴槽３に給湯される。
【００３３】
逆に、他の入浴者が非常に低い温度に設定変更したときや、例えば源泉圧の増加などの外乱によって浴槽３の湯温が第１上限温度Ｈ２を超えて第２上限温度Ｈ１（例えば、４２．１℃）以上になったときは、制御部１４は第１バルブ部１１の第１電動バルブＶ１をＯＦＦにする。もし、このとき急激な湯温変化などのために第２バルブ部１２や第３バルブ部１３がＯＮになっていれば、いずれもＯＦＦにさせる。このようにして、すべての源泉の給湯を閉鎖して浴槽３の湯温を急速に降下させる。このときはポンプＰを通った浴槽３の湯のみが浴槽３に給湯される。もしポンプＰからの給湯がなければ給湯口４からの流出する湯が無いのでかけ流し温泉に浸かっているという満足感が悪くなるが、ポンプＰからの給湯があるのでこの満足感が損なわれない。また、もしポンプＰからの給湯がなければ浴槽３内の流れが無くなって表面側が空冷され低温になり、底面側との温度差が生じる。このために、浴槽５内の温度が不均一になるだけでなく、浴槽３の冷却に時間が掛かることとなる。浴槽５内の温度が不均一になると、正しい温度検出ができずに不正確な温度制御となる。そこで、本実施形態は浴槽３内の底部の湯を給湯口から流出させて、その流れによって浴槽３の湯を撹拌させる。これにより、浴槽３内の湯の温度を均一にし、入浴者に満足感を与えることができる。浴槽３の湯温が降下して設定範囲内の第１下限温度Ｌ１（例えば、４１．９℃）になると、制御部１４は第１、第２バルブ部１１、１２の第１、第２電動バルブＶ１、Ｖ２をＯＮにする。このときは第１バルブ部１１と第２バルブ１２を通った源泉とポンプＰを通った浴槽３の湯が浴槽３に給湯される。これにより、浴槽３の湯温は１０分で０．１℃上昇する。これ以降は前述の制御部１４の制御によって浴槽３の湯温は第１下限温度Ｌ２から第１上限温度Ｈ２までの間を自動的に保持される。
【００３４】
上記のように、本発明の湯温制御装置１は浴槽３の湯温を低下させるために冷水（水道の水や井戸水など）を補給湯に混入させていない。このために浴槽３の湯の温泉としての有効成分が希釈されることはない。また、本発明の湯温制御装置１の源泉の供給は、継続の補給湯を流出するための基本の第１バルブ部１１と、設定された温度に浴槽３の湯温を保持するための温度調整の第２バルブ部１２と、入浴者の温度設定変更や外乱で早く温度上昇をさせたいときの加速の第３バルブ１３を備えている。このように解り易い３つの役割分担なので、種々の浴槽３に湯温制御装置１を取り付けるときの流量の初期設定や浴槽３の環境が変化したときの流量の設定変更が容易である。第１バルブ部１１の流量は浴槽３の湯温が僅か降下するまでの量であるので、継続的な補給としては多い流量に設定されている。このために、入浴者に継続的な満足感を与える。また、本発明の湯温制御装置１は入浴者の温度設定変更や外乱で早く温度降下をさせたいときに全バルブ部１１〜１３を閉鎖して源泉による加熱を止め、ポンプＰはＯＮのままに維持する。これにより、浴槽３の湯の撹拌が維持されて早く浴槽３の湯温が降下する。
【００３５】
なお、本実施形態において湯温制御装置１は、客室内のプライベートな浴室２に設置された浴槽３に用いているが、多くの人が一度に入浴する大浴場の浴槽に用いても構わない。一方、最近は客室内にも浴室を設けることで高級感をだす旅館も増えている。このような客室では、利用者に不満を与えないよう湯温管理が非常に重要となるが、客室内に設けられた浴室は、浴槽も小さくまた浴室内といっても露天風呂のようになっていることが多い。したがって、外気温による湯温の変化が大きいなど湯温制御に多くの困難が伴うが、本発明の湯温制御装置１はこのような客室内の浴槽の湯温制御に非常に適している。
【００３６】
また、本実施形態において湯温制御装置１は、源泉を用いているが加温した源泉でも構わない。
【符号の説明】
【００３７】
１：湯温制御装置
１１：第１バルブ部
１２：第２バルブ部
１３：第３バルブ部
１４：制御部
１５：入力部
１６：温度センサー
Ｎ１：第１ニードルバルブ
Ｎ２：第２ニードルバルブ
Ｎ３：第３ニードルバルブ
Ｖ１：第１電動バルブ
Ｖ２：第２電動バルブ
Ｖ３：第３電動バルブ
Ｐ：ポンプ
３：浴槽
４：給湯口
【図１】
0006284907.tif 000002
【図２】
0006284907.tif 000003